【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
チャージポンプ回路要素であって、
（ａ）マスターチャージポンプ回路要素であって、
（１）第１のレギュレートされていない電圧を生成するマスター電圧マルチプライヤー回路要素と、
（２）第１のレギュレートされた電圧を生成するために前記第１のレギュレートされていない電圧をレギュレートする関連する第１のレギュレーション回路要素と、
（３）ブーストされてレギュレートされていない電圧を生成するために前記第１のレギュレートされた電圧をブーストするマスターポンピング回路要素と、
を含む、前記マスターチャージポンプ回路要素と、
（ｂ）スレーブチャージポンプ回路要素であって、
（１）第２のレギュレートされていない電圧を生成するスレーブ電圧マルチプライヤー回路要素と、
（２）第２のレギュレートされた電圧を生成するために前記第２のレギュレートされていない電圧をレギュレートする関連する第２のレギュレーション回路と、
（３）ブーストされた制御電圧を生成するために前記第２のレギュレートされた電圧をブーストするスレーブポンピング回路要素と、
を含む、前記スレーブチャージポンプ回路要素と、
（ｃ）ブーストされてレギュレートされた低ノイズ電圧を生成するために、前記ブーストされた制御電圧に応答して前記ブーストされてレギュレートされていない電圧をレギュレートするように結合される、第３のレギュレーション回路要素と、
（ｄ）所定の基準電圧に従って前記ブーストされた制御電圧のレギュレーションを制御するために、前記ブーストされてレギュレートされた低ノイズ電圧と前記第２のレギュレーション回路との間に結合される、フィードバック回路要素と、
を含む、チャージポンプ回路要素。
【請求項２】
請求項１に記載のチャージポンプ回路要素であって、
前記マスター電圧マルチプライヤー回路要素が電圧トリプラーを含み、前記マスターポンピング回路要素が多段ディクソンチャージポンプを含む、チャージポンプ回路要素。
【請求項３】
請求項１に記載のチャージポンプ回路要素であって、
前記スレーブ電圧マルチプライヤー回路要素が電圧トリプラーを含み、前記スレーブポンピング回路要素が多段ディクソンチャージポンプを含む、チャージポンプ回路要素。
【請求項４】
請求項１に記載のチャージポンプ回路要素であって、
前記第３のレギュレーション回路要素が、Ｎチャネルソースフォロワートランジスタと、前記ソースフォロワートランジスタのゲートに結合される第１のローパスフィルタとを含み、
前記ソースフォロワートランジスタのドレインが前記ブーストされてレギュレートされていない電圧を受け取るように結合され、前記ソースフォロワートランジスタのソースが前記ブーストされてレギュレートされた低ノイズ電圧を提供するように結合される、チャージポンプ回路要素。
【請求項５】
請求項４に記載のチャージポンプ回路要素であって、
ブーストされてレギュレートされた低ノイズバイアス電圧を生成するために、前記ブーストされてレギュレートされた低ノイズ電圧を受け取り且つフィルタリングするように結合される、第２のローパスフィルタを更に含む、チャージポンプ回路要素。
【請求項６】
請求項５に記載のチャージポンプ回路要素であって、
前記ブーストされてレギュレートされた低ノイズバイアス電圧が可変負荷に結合される、チャージポンプ回路要素。
【請求項７】
請求項１に記載のチャージポンプ回路要素であって、
前記ブーストされてレギュレートされていない電圧を受け取り、前記ブーストされてレギュレートされていない電圧からリップル電圧成分と過渡電圧成分とをフィルタリングする、キャパシタを更に含む、チャージポンプ回路要素。
【請求項８】
請求項１に記載のチャージポンプ回路要素であって、
前記第１のレギュレーション回路要素が、第１のソースフォロワートランジスタと第１の増幅器と第１の相互コンダクタンス増幅器とを含み、
前記第１のソースフォロワートランジスタのドレインが前記第１のレギュレートされていない電圧に結合され、前記第１のソースフォロワートランジスタのソースが前記第１のレギュレートされた電圧を生成し、
前記第１のソースフォロワートランジスタの前記ソースが前記第１の増幅器の入力にも結合され、前記第１の増幅器の出力が前記第１の相互コンダクタンス増幅器の入力に結合され、
前記第１の相互コンダクタンス増幅器の出力が前記第１のソースフォロワートランジスタのゲートに結合され、前記第１の相互コンダクタンス増幅器が前記第１のレギュレートされていない電圧をフィルタリングするように構成される、チャージポンプ回路要素。
【請求項９】
請求項１に記載のチャージポンプ回路要素であって、
前記第２のレギュレーション回路が、第２のソースフォロワートランジスタと第２の増幅器と第２の相互コンダクタンス増幅器とを含み、
前記第２のソースフォロワートランジスタのドレインが前記第２のレギュレートされていない電圧に結合され、前記第２のソースフォロワートランジスタのソースが前記第２のレギュレートされた電圧を生成し、
前記第２の相互コンダクタンス増幅器の出力が前記第２のソースフォロワートランジスタのゲートに結合され、
前記第２の増幅器の出力が前記第２の相互コンダクタンス増幅器の入力に結合され、前記第２の増幅器の第１の入力が前記所定の基準電圧を受け取るように結合され、前記第２の増幅器の第２の入力が前記フィードバック回路要素の出力に結合され、
前記第２の相互コンダクタンス増幅器が前記第２のレギュレートされていない電圧をフィルタリングするように構成される、チャージポンプ回路要素。
【請求項１０】
請求項９に記載のチャージポンプ回路要素であって、
前記第２の増幅器が積分増幅器として構成される、チャージポンプ回路要素。
【請求項１１】
請求項２に記載のチャージポンプ回路要素であって、
前記マスターチャージポンプ回路要素が、クロック信号の振幅に前記第１のレギュレートされた電圧の大きさをトラッキングさせるために、前記マスターポンピング回路要素の前記多段ディクソンチャージポンプへの入力として前記クロック信号を発生する、クロックレベルシフト回路を含む、チャージポンプ回路要素。
【請求項１２】
請求項３に記載のチャージポンプ回路要素であって、
前記スレーブチャージポンプ回路要素が、クロック信号の振幅に前記第２のレギュレートされた電圧の大きさをトラッキングさせるために、前記スレーブポンピング回路要素の前記多段ディクソンチャージポンプへの入力として前記クロック信号を発生する、クロックレベルシフト回路を含む、チャージポンプ回路要素。
【請求項１３】
請求項１に記載のチャージポンプ回路要素であって、
前記フィードバック回路要素が、前記ブーストされた制御電圧を前記所定の基準電圧に対してスケールアップさせるために、前記ブーストされてレギュレートされた低ノイズ電圧とフィードバック増幅器の入力との間に結合される、分圧器回路要素を含む、チャージポンプ回路要素。
【請求項１４】
請求項１３に記載のチャージポンプ回路要素であって、
前記フィードバック増幅器がユニティゲインバッファとして構成される、チャージポンプ回路要素。
【請求項１５】
ブーストされた低ノイズ基準電圧を発生するための方法であって、
（ａ）マスター電圧マルチプライヤー回路を用いて第１のレギュレートされていない電圧を生成し、第１のレギュレートされた電圧を生成するために前記第１のレギュレートされていない電圧をレギュレートすることと、
（ｂ）ブーストされてレギュレートされていない電圧を生成するために、マスターポンピング回路を用いて前記第１のレギュレートされた電圧をブーストすることと、
（ｃ）スレーブ電圧マルチプライヤー回路を用いて第２のレギュレートされていない電圧を生成し、第２のレギュレートされた電圧を生成するために前記第２のレギュレートされていない電圧をレギュレートすることと、
（ｄ）ブーストされた制御電圧を生成するために、スレーブポンピング回路を用いて前記第２のレギュレートされた電圧をブーストすることと、
（ｅ）ブーストされてレギュレートされた低ノイズ電圧を生成するために、前記ブーストされた制御電圧に応答して前記ブーストされてレギュレートされていない電圧をレギュレートすることと、
（ｆ）前記ブーストされてレギュレートされた低ノイズ電圧と前記第２のレギュレーション回路要素との間に結合されるフィードバック回路要素を用いて、所定の基準電圧に従って前記ブーストされた制御電圧のレギュレーションを制御することと、
を含む方法。
【請求項１６】
請求項１５に記載の方法であって、
ローパスフィルタを用いて前記ブーストされた制御電圧をフィルタリングすることと、
前記フィルタリングされてブーストされた制御電圧をＮチャネルソースフォロワートランジスタのゲートに印加することと、
を更に含み、
前記ソースフォロワートランジスタのドレインが前記ブーストされてレギュレートされていない電圧を受け取るように結合され、前記ソースフォロワートランジスタのソースが前記ブーストされてレギュレートされた低ノイズ電圧を提供するように結合される、方法。
【請求項１７】
請求項１５に記載の方法であって、
マスター電圧トリプラー回路要素とマスターディクソンチャージポンピング回路要素とを用いて前記ブーストされてレギュレートされていない電圧を生成することと、
スレーブ電圧トリプラー回路要素とマスターディクソンチャージポンピング回路要素とを用いて前記ブーストされた制御電圧を生成することと、
を更に含む方法。
【請求項１８】
請求項１６に記載の方法であって、
ブーストされてレギュレートされた低ノイズバイアス電圧を生成するために前記ブーストされてレギュレートされた低ノイズ電圧をフィルタリングすることを更に含む、方法。
【請求項１９】
請求項１５に記載の方法であって、
前記ブーストされてレギュレートされた低ノイズ電圧とフィードバック増幅器の入力との間に結合される分圧器回路要素を用いて所定の基準電圧に対して前記ブーストされた制御電圧をスケールアップすることを更に含む方法。
【請求項２０】
ブーストされた低ノイズ基準電圧を発生するシステムであって、
（ａ）マスター電圧マルチプライヤー回路を用いて第１のレギュレートされていない電圧を生成し、第１のレギュレートされた電圧を生成するために前記第１のレギュレートされていない電圧をレギュレートする手段と、
（ｂ）ブーストされてレギュレートされていない電圧を生成するために、マスターポンピング回路を用いて前記第１のレギュレートされた電圧をブーストする手段と、
（ｃ）スレーブ電圧マルチプライヤー回路を用いて第２のレギュレートされていない電圧を生成し、第２のレギュレートされた電圧を生成するために前記第２のレギュレートされていない電圧をレギュレートする手段と、
（ｄ）ブーストされた制御電圧を生成するために、スレーブポンピング回路を用いて前記第２のレギュレートされた電圧をブーストする手段と、
（ｅ）ブーストされてレギュレートされた低ノイズ電圧を生成するために、前記ブーストされた制御電圧に応答して前記ブーストされてレギュレートされていない電圧をレギュレートする手段と、
（ｆ）前記ブーストされてレギュレートされた低ノイズ電圧と前記第２のレギュレーション回路との間に結合されるフィードバック回路要素を用いて、所定の基準電圧に従って前記ブーストされた制御電圧のレギュレーションを制御する手段と、
を含む、システム。